(57)【要約】【課題】  ドレンセパレータにおいて、気体から分離された液体が２次側の圧力気体配管または真空圧配管へ流れることを確実に防止できるようにする。【解決手段】  流入口８及び流出口９を有するボディ２と、ボディ２の上面に取り付けられた気液分離部３と、ボディ２の下面に取り付けられ連通路１０を介して気液分離部３に接続されたオーバーフロー防止装置部４とを有する。オーバーフロー防止装置部４が、気液分離部３で分離された気体及び液体が連通路１０を通して流入し、該流入した液体を貯蔵する液体貯蔵ケース４１と、液体貯蔵ケース４１内と流出口９とを連通させる連通部材４３に設けられ、液体貯蔵ケース４１内の液体が規定液位を超えて溜まった場合に連通部材４３の連通を遮断する遮断手段４４とを有する。【選択図】  図１
2007327506.tif 000002
【特許請求の範囲】
【請求項１】
圧力気体配管または真空圧配管を流れる液滴を含んだ気体から液体を分離し、該分離した液体を排出可能なドレンセパレータであって、
上記配管に接続される流入口及び流出口を有するボディと、該ボディの上面に取り付けられた上記気体から液体を分離する気液分離部と、該ボディの下面に取り付けられると共に該ボディに設けた連通路を介して上記気液分離部に接続されたオーバーフロー防止装置部とを有し、
上記オーバーフロー防止装置部が、上記気液分離部において分離された気体及び液体が上記連通路を通して流入し、該流入した液体を貯蔵する液体貯蔵ケースと、該液体貯蔵ケース内と上記流出口とを連通させる連通部材に設けられ、該液体貯蔵ケース内の液体が規定液位を超えて溜まった場合に該連通部材における連通を遮断する遮断手段とを有する、
ことを特徴とするドレンのオーバーフロー防止機能付きドレンセパレータ。
【請求項２】
上記遮断手段が、上記連通部材に設けられた弁座と、上記液体貯蔵ケース内の液位に応じて上下動することにより該弁座を開閉するフロートと、該フロートを上下動可能に支持するフロート支持部とにより構成されている、
ことを特徴とする請求項１に記載のドレンのオーバーフロー防止機能付きドレンセパレータ。
【請求項３】
上記連通路が、上記ボディの上面及び下面を互いに連通させることにより、上記気液分離部において分離された気体及び液体を上記液体貯蔵ケースに流入させる貫通孔として構成されている、
ことを特徴とする請求項１または２に記載のドレンのオーバーフロー防止機能付きドレンセパレータ。
【請求項４】
上記気液分離部が、上記流入口に連通して液滴を含んだ気体から液体を分離するフィルタエレメントと、上記ボディに取り付けられて該フィルタエレメントを収容するセパレータケースとを有する、
ことを特徴とする請求項１乃至３のいずれかに記載のドレンのオーバーフロー防止機能付きドレンセパレータ。
【請求項５】
上記ボディの上面中央に上記流入口と連通する開口が設けられ、該開口を囲むように上記フィルタエレメントが立設され、該フィルタエレメントの外側と上記セパレータケースの内側との間の上記ボディ上面に、ボディ下面まで貫通する上記連通路の必要数を設けている、
ことを特徴とする請求項４に記載のドレンのオーバーフロー防止機能付きドレンセパレータ。
【発明の詳細な説明】
【技術分野】
【０００１】
本発明は、圧力気体配管または真空圧配管を流れる液滴を含んだ気体から液体を分離し、該分離した液体（ドレン）を排出可能にするに当たり、そのドレンがオーバーフローして２次側配管に流出するのを防止する機能を付与したドレンセパレータに関する。
【背景技術】
【０００２】
圧力気体配管または真空圧配管を流れる液滴を含んだ気体から、水分やオイルミスト、塵埃等を分離し、該分離した液体をドレンとして排出させるドレンセパレータは、例えば特許文献１や特許文献２に示されているように従来公知である。
上記特許文献１には、フィルタエレメントにより圧縮空気から分離されてセパレータケース内に貯留する水分、オイルミスト及び塵埃等からなるドレンを、該ドレンの液位の上昇により作動して排出させるオートドレン装置について記載され、具体的には、フロートの浮沈によりドレン弁座を開閉するドレン弁体を作動させ、ドレンの液位が上昇するとドレンを自動的に排出できるようにしているが、この種のオートドレン装置では、その故障等によりドレン弁体がドレン弁座を開閉しなくなることがあり、その場合、ドレンの液位が上昇してドレンが２次側の圧力気体配管へオーバーフローし、２次側の圧力気体配管に接続された装置に大きな被害をもたらすという問題があった。
【０００３】
また、特許文献２に示されているドレンセパレータは、真空圧機器、真空圧配管等の真空圧流路を流れる空気から水を分離し、ドレンとして排出させる真空ドレン排出装置において、該装置に流入する空気からフィルタエレメントにより水を分離し、該分離した水を貯留する貯留部を外部に連通させる排出機構を手動で駆動することにより、ドレンを外部に排出できるようにしているが、手動でドレンを外部に排出することを忘れてドレンの液位が上昇した場合、同様にドレンが２次側の真空圧配管へオーバーフローして、２次側の真空圧配管に接続された装置に大きな被害をもたらすことになる。
【０００４】
【特許文献１】実開平６−２１７２２号公報
【特許文献２】特開平５−２６３９９０号公報
【発明の開示】
【発明が解決しようとする課題】
【０００５】
本発明は、かかる従来の問題に鑑みてなされたものであり、その技術的課題は、オートドレン装置の故障や手動による排出ミス等により気体から分離された液体が規定液位を超えて溜まった場合でも、気体から分離された液体が２次側の圧力気体配管または真空圧配管へ流れることにより生じる被害を確実に防止できるドレンのオーバーフロー防止機能付きドレンセパレータを提供することにある。
また、本発明の他の技術的課題は、ドレンセパレータにおいて気体から分離された液体が２次側の圧力気体配管または真空圧配管へ流れることを確実に防止可能にする手段を簡単な構成のものとして提供することにある。
【課題を解決するための手段】
【０００６】
上記課題を解決するための本発明は、圧力気体配管または真空圧配管を流れる液滴を含んだ気体から液体を分離し、該分離した液体を排出可能なドレンセパレータであって、上記配管に接続される流入口及び流出口を有するボディと、該ボディの上面に取り付けられた上記気体から液体を分離する気液分離部と、該ボディの下面に取り付けられると共に該ボディに設けた連通路を介して上記気液分離部に接続されたオーバーフロー防止装置部とを有し、該オーバーフロー防止装置部が、上記気液分離部において分離された気体及び液体が上記連通路を通して流入し、該流入した液体を貯蔵する液体貯蔵ケースと、該液体貯蔵ケース内と上記流出口とを連通させる連通部材に設けられ、該液体貯蔵ケース内の液体が規定液位を超えて溜まった場合に該連通部材における連通を遮断する遮断手段とを有することを特徴とするものである。
【０００７】
本発明に係るドレンセパレータの好ましい実施形態においては、上記遮断手段が、上記連通部材に設けられた弁座と、上記液体貯蔵ケース内の液位に応じて上下動することにより該弁座を開閉するフロートと、該フロートを上下動可能に支持するフロート支持部とにより構成されたものとするのが望まれる。
また、本発明に係るドレンセパレータにおいては、上記連通路が、上記ボディの上面及び下面を互いに連通させることにより、上記気液分離部において分離された気体及び液体を上記液体貯蔵ケースに流入させる貫通孔として構成されたものを採用することができる。
【０００８】
さらに、本発明に係るドレンセパレータにおいては、上記気液分離部を、上記流入口に連通して液滴を含んだ気体から液体を分離するフィルタエレメントと、上記ボディに取り付けられて該フィルタエレメントを収容するセパレータケースとを有するものとして構成することができ、この場合、上記ボディの上面中央に上記流入口と連通する開口を設け、該開口を囲むように上記フィルタエレメントを立設し、該フィルタエレメントの外側と上記セパレータケースの内側との間の上記ボディ上面に、ボディ下面まで貫通する上記連通路の必要数を設けることができる。
【０００９】
上述した本発明のドレンのオーバーフロー防止機能付きドレンセパレータにおいては、オーバーフロー防止装置部の存在によって、オートドレン装置の故障や手動による排出ミス等により液体貯蔵ケース内の液体が規定液位を超えて溜まった場合に、圧力気体配管または真空圧配管に接続された上記流出口と上記液体貯蔵ケース内とを連通させる連通部材内の弁座が上記遮断手段により遮断されるので、上記流出口からは気体も流出しなくなるが、気体から分離された液体も流出しないので、気体から分離された液体が２次側の圧力気体配管または真空圧配管へ流れることにより生じる被害が確実に防止される。
【発明の効果】
【００１０】
上述した本発明によれば、気体から分離された液体が２次側の圧力気体配管または真空圧配管へ流れることを確実に防止できる簡単な構成のドレンセパレータを提供することができる。
【発明を実施するための最良の形態】
【００１１】
以下に、本発明のドレンのオーバーフロー防止機能付きドレンセパレータを、図に示す実施例に基づいて詳細に説明する。
図１及び図２は、本発明の実施例を示し、該ドレンセパレータ１は、圧力気体配管または真空圧配管に接続される流入口８及び流出口９を有するボディ２と、該ボディ２の上面に取り付けられた気液分離部３と、該ボディ２の下面に取り付けられ、複数の連通路１０を介して上記気液分離部３に接続されたオーバーフロー防止装置部４とを有している。
【００１２】
上記ボディ２は、その上半分の構造と下半分の構造とが対称性を有する単一のボディとして構成され、上記流入口８は、上記ボディ２の一方の側面に開口すると共に該ボディ２の上面中央に設けた開口１２に連通し、また、上記流出口９は、上記ボディ２の他方の側面に開口すると共に該ボディ２の下面中央に設けた開口１６に連通している。上記連通路１０は、図１及び図２に示すように、上記ボディ２の上面及び下面を貫通させて形成し、該ボディ２の上面側と下面側とを連通させている。
【００１３】
上記ボディ２の上面に取り付けられた気液分離部３は、上記流入口８に連通して液滴を含んだ気体から液体を分離する円筒状のフィルタエレメント２０と、上記ボディ２に取り付けられて該フィルタエレメント２０を収容する円筒状のセパレータケース２１とを有している。
また、上記ボディ２の下面に取り付けられたオーバーフロー防止装置部４は、上記気液分離部３において分離された気体及び液体が連通路１０を介して流入し、該流入した液体を貯蔵するところの、上記ボディ２に取り付けられた円筒状の液体貯蔵ケース４１と、該液体貯蔵ケース４１内と上記流出口９とを連通させるための、該液体貯蔵ケース４１内に設けられた連通部材４３と、該連通部材４３に設けられ、該液体貯蔵ケース４１内の液体が規定液位を超えて溜まった場合に該連通部材４３を遮断する遮断手段４４とを有している。
【００１４】
そして、上記ボディ２の上面には、その外周から突出するように環状壁１７を形成し、該環状壁１７の内周面に雌ねじ部１７ａを形成するとともに、上記セパレータケース２１の下端に雄ねじ部２１ａを形成して、それらの雌ねじ部１７ａと雄ねじ部２１ａの相互の螺合により、上記セパレータケース２１をボディ２に着脱自在に螺挿しており、一方、上記ボディ２の下面には、その外周から突出するように環状壁１９を形成し、該環状壁１９の内周面に雌ねじ部１９ａを形成するともに、上記液体貯蔵ケース４１の上端に雄ねじ部４１ａを形成して、それらの雌ねじ部１９ａと雄ねじ部４１ａの相互の螺合により、上記液体貯蔵ケース４１をボディ２に着脱自在に螺挿している。
なお、上記液体貯蔵ケース４１は、目視あるいはレーザ光を用いた検出装置により液位のチェックができるように、透明な材料で形成することが望まれる。
【００１５】
上記液体貯蔵ケース４１内と流出口９とを連通させる連通部材４３は、上記ボディ２の下面中央の開口１６を覆うように配置された円板状本体４３ａの下面中央に円形の開口凹部４３ｂが形成され、該開口凹部４３ｂの開口縁に、フロート４６が接離する環状の弁座４５が形成され、該開口凹部４３ｂ内に形成した複数の連通路４３ｃにより上記液体貯蔵ケース４１内の空間を上記ボディ２の流出口９に連通させている。
【００１６】
上記連通部材４３は、ボディ２における開口１６の周壁の下面との間にリング状の平らなシール部材４７を介して、取付けボルト４９によって該ボディ２に取り付けられている。すなわち、上記連通部材４３は、その上面中央に上記取付けボルト４９の一端側が螺入されるボルト取付部４３ｄが形成されており、該取付けボルト４９の他端側は上記ボディ２に螺合されている。
該連通部材４３の外周面には、そこから垂下する筒状のフロート支持部材５１が着脱自在に固定され、該フロート支持部５１は、その内部に略円柱状のフロート４６が上下動可能に収容され、周壁及び底壁に該フロート４６が脱出しない大きさの開口５１ａ，５１ｂがそれぞれ設けられている。
上記遮断手段４４は、上記連通部材４３に設けられた弁座４５と、上記液体貯蔵ケース４１内の液位によって上下動して該弁座４５を開閉する上記フロート４６と、該フロート４６を上下動可能に支持する上記フロート支持部５１とにより構成されている。
【００１７】
上記構成を有するドレンセパレータ１は、上記液体貯蔵ケース４１内に流入した液体（ドレン）が溜まり、満杯近くになってきたときに捨てるのが通例であるが、その捨てるのを怠ってフロート４６が上昇しはじめ、該液体が満杯になると、連通部材４３の弁座４５が上記フロート４６で塞がれるため、ボディ２の流出口９からは、液体が分離された気体が流出しなくなると共に、分離された液体も流出しない。したがって、気体から分離された液体が２次側の圧力気体配管または真空圧配管へ流れるのを確実に防止することができ、そのため、気体から分離された液体が２次側の圧力気体配管または真空圧配管へ流れることにより生じる被害を確実に防止することができる。
【００１８】
なお、上記液体貯蔵ケース４１からのドレンの排出は、上記ボディ２の下面の環状壁１９の雌ねじ部１９ａに螺挿されている該液体貯蔵ケース４１の雄ねじ部４１ａを回して上記ボディ２の下面から該液体貯蔵ケース４１を取外し、該ケース４１内のドレンを捨てることにより行われるが、例えば、液体貯蔵ケース４１の底部に、一定量のドレンが貯留したときにそれを自動的に排出する手段、あるいはドレンを手動で排出する手段を設けて、それにより排出する構成とすることもできる。
【００１９】
以上において、本発明のドレンのオーバーフロー防止機能付きドレンセパレータについて詳述したが、本発明は、ここで説明した実施例に限定されるものではなく、特許請求の範囲に記載の発明の精神を逸脱しない範囲で設計において種々の変更ができるものである。例えば、上述した実施例では、上記遮断手段４４を構成するフロート４６を略円柱状としているが、それに限定されるものではなく、必要に応じて球状等の適宜形状とすることができる。
【図面の簡単な説明】
【００２０】
【図１】本発明の実施例を示す縦断正面図である。
【図２】図１のＡ−Ａ断面図である。
【符号の説明】
【００２１】
１    ドレンセパレータ
２    ボディ
３    気液分離部
４    オーバーフロー防止装置部
８    流入口
９    流出口
１０    連通路
１２    開口
２０    フィルタエレメント
２１    セパレータケース
４１    液体貯蔵ケース
４３    連通部材
４４    遮断手段
４５    弁座
４６    フロート
５１    フロート支持部
【図１】
2007327506.tif 000003
【図２】
2007327506.tif 000004